(57)【要約】　　　（修正有）【課題】店舗個室における内装機材を短時間で変更することにより、個室環境を整える店舗サービスを提供する。【解決手段】店舗利用客に対する個室環境提供において、ひとつの個室を利用客に提供するに際し、利用客に提供する個室空間を構成する壁・扉・障子・襖・窓・格子・カーテン・ブラインド・衝立・蚊帳・簾・暖簾等の内装機材の一部又は全ての取付け・取外し・変更および据付を、予め規格どおりに設定しておき、利用客の注文に応じて、短時間で変更することを特徴とする店舗における個室環境提供方法。【選択図】図１
2004092084.tif 000002
【特許請求の範囲】
【請求項１】
店舗利用客に対する個室環境提供において、ひとつの個室を利用客に提供するに際し、利用客に提供する個室空間を構成する壁・扉・障子・襖・窓・格子・カーテン・ブラインド・衝立・蚊帳・簾・暖簾等の内装機材の一部又は全ての取付け・取外し・変更および据付を、予め規格どおりに設定しておき、利用客の注文に応じて、短時間で変更することを特徴とする店舗における個室環境提供方法。
【請求項２】
店舗利用客に対する個室環境提供において、利用客に提供する個室を構成する内装機材の一部もしくは全ての取付けを行わず個室の骨格空間のみを提供することを特徴とする請求項１項に記載された店舗個室における個室環境提供方法。
【請求項３】
店舗利用客に対する個室環境提供において、利用客に環境設置し得る内容を提示する際に、提示内容をコンピュータで行い、利用客に提供可能な内装機材の組み合わせの中から環境設置の選択を行わせ、必要とする内装機材を短時間で提供できる様にしたことを特徴とする請求項１項又は請求項２項に記載された店舗個室における個室環境提供方法。
【請求項４】
内装機材の組み合わせ、色調、雰囲気をコンピュータでグラフィック化して、表示する請求項１ないし請求項３に記載された店舗個室における個室環境提供方法。
【請求項５】
店舗利用客に対する個室環境提供において、コンピュータで内装機材の運用管理および在庫管理を行うことを特徴とする請求項１項ないし請求項３項に記載された店舗個室における個室環境提供方法。
【発明の詳細な説明】
【０００１】
【発明の属する技術分野】
本発明は、従来の店舗サービスの内容に関し、店舗個室における個室環境提供方法を提案するものであり、従来既存店舗サービスにおける個室環境の提供は、既に設定された店舗環境の一部を個室として提供するものが大半であり、例えばテーブルマナーの範囲で、前の利用客に提供したテーブルクロス・食器を交換して提供する等のことを除けば、日毎に個室の生花を差し替えて個室を提供する、ひとつの部屋を複数の利用客に提供するために衝立等の目隠しを設置する、日本間に置いて襖を取外して部屋を連結して提供する等の店舗サービスであり、ひとつの個室を一組の利用客に提供し、その利用客が求めるより快適な個室環境を作り出して提供するものではなかった。
【０００２】
【従来技術】
一般店舗においてカラオケ等の様な、どこにでもあるサービスの提供を行っても、店舗に固有の個性を出すことは難しいため、新たなサービスの提供方式が求められていた。
既存の店舗サービスにおける個室環境の提供は、固定された店舗環境の一部を個室として提供するものであり、個室に既に与えられた個性が店舗の個性となるものであり、同じ利用客でも、その日の感情や構成メンバーの相違等により、開放的な環境を求めたり、閉鎖的な環境を求めたり、落ち着いた環境を求めたり、明るい環境を求めるものであるため、多くの要求に応えられるものはなかったのが実情である。既存の、個室提供に関わる店舗サービスの内容を確認したところ、実行されている内容は次の様なものであった。
＊　既に確保されている店舗環境の一部を、個室として提供する。
＊テーブルマナーの範囲で、前の利用客に提供したテーブルクロス・食器等を交換して提供する。
＊日毎に個室の生花を差し替えて個室を提供する。
＊ひとつの部屋を複数の利用客に提供するために衝立等の目隠しを設置する。
＊日本間に置いて襖を取外して部屋を連結して提供する。
【０００３】
【発明が解決しようとする課題】
そこで、この利用客の求めに従って、内装機材の設置を行う店舗サービスを行い、開放環境から閉鎖環境までを含めた、より快適な個室環境を手軽に作り出して利用客に提供することにより、利用客の要求に応える個室環境を作り提供する新たな店舗の個性を作り出し提供することが求められている。
本発明は、これらの要求に基づいて、店舗個室における内装機材を短時間で変更することにより、個室環境を整える店舗サービスを提供することにより、店舗の個性を作り出して顧客の確保を行い新たな付加価値および産業効果を得るものである。
【０００４】
【課題を解決する手段】
本発明は、次に記載された手段を用いて課題を解決し、新たな付加価値および産業効果の確保を可能にした。すなわち、
第一に、店舗利用客に対する個室環境提供において、ひとつの個室を利用客に提供するに際し、利用客に提供する個室空間を構成する壁・扉・障子・襖・窓・格子・カーテン・ブラインド・衝立・蚊帳・簾・暖簾等の内装機材の一部又は全ての取付け・取外し・変更および据付を、予め規格どおりに設定しておき、利用客の注文に応じて、短時間で変更することを特徴とする店舗における個室環境提供方法であり、第二に　店舗利用客に対する個室環境提供において、利用客に提供する個室を構成する内装機材の一部もしくは全ての取付けを行わず個室の骨格空間のみを提供することを特徴とする請求項１項に記載された店舗個室における個室環境提供方法であり、第三に、　店舗利用客に対する個室環境提供において、利用客に環境設置し得る内容を提示する際に、提示内容をコンピュータで行い、利用客に提供可能な内装機材の組み合わせの中から環境設置の選択を行わせ、必要とする内装機材を短時間で提供できる様にしたことを特徴とする請求項１項又は請求項２項に記載された店舗個室における個室環境提供方法であり、第四に、内装機材の組み合わせ、色調、雰囲気をコンピュータでグラフィック化して、表示することであり、第五に店舗利用客に対する個室環境提供において、コンピュータで内装機材の運用管理および在庫管理を行う店舗個室における個室環境提供方法である。
【０００５】
【発明の実施の形態】
本発明は、利用客の注文に応じて、短時間で個室環境をプライベートな空間にしたり、開放的な空間にしたり変更することを目的の一つにしている。
壁・扉・障子・襖・窓・格子・カーテン・ブラインド・衝立・蚊帳・簾・暖簾等の内装機材のうちでも、壁や扉や窓やブラインドは、透明で開放的な空間を演出するものと、不透明でプライベートな空間を演出するものと、個室空間に大きな影響を与えるものは、とくに重要な内装基材である。
また、光だけでなく、空気を通すか通さないかも、雰囲気を演出する上で、重要な役割を果たす。
本発明おいて用いる内装機材は、大きさ、形状、色彩、透明度、通気度、などを数値化し、さらに内装機材の種類、数、保管場所等をコンピュータに記憶させておくことが望ましい。
発明者は、店舗固有の個性を出して、斬新性・話題性のある新たな店舗サービスの提供を行うことに付いて検討を重ねたところ、次の成果を得た。
発明者が別途出願した特願２００２−２３１８９４で提案した「キューブ型ユニットを用いた屋内の内装工事システム及びキューブ型ユニット提供サービス」において開示したキューブ型ユニットが、個室を構成する好適な空間であることを確認した。
【０００６】
本発明は上記のキューブ型ユニット提供サービスのみならず、既存建築では実行されていなかったサービスとして、関連する内装品の設置、交換等も容易の行える。
本発明者は、ひとつの個室を一組の利用客に提供することを前提として、その利用客が求めるより快適な個室環境を作り出して提供する発想を行い、既存発明を有功利用するとともに、既成の内装品も利用することにより、個室環境は様々に変化させることができ、いままでにない新しい店舗サービスとして提供できる様になった。
ひとつの個室を一組の提供するものとした場合、利用客に提供する個室環境を構成するものには次の例に示すものがあり、これらをまとめて内装機材とした。
＊壁・壁格子
＊扉
＊障子
＊たたみ・絨緞・カーペット
＊照明器具
＊窓・窓格子
＊カーテン・ブラインド・簾・暖簾
＊衝立
＊蚊帳
＊テーブル・椅子・座布団
【０００７】
これらの内装機材は安全に構造を維持できるものであり、大きさ、形状、色彩、透明度、通気度、などを数値化し、さらに内装機材の種類、数、保管場所等をコンピュータに記憶させておく。
お客の注文に応じて、コンピュータ情報の中から、これらの注文に合う内装機材を取り出し、迅速にすえつける。
しかし、個室環境に利用客を案内したときからある程度は設置されていないと、利用客はどの範囲が利用し得る範囲か迷うとともに、その個室環境を直ぐに利用できないことになる。そのため、個室環境には内装機材の一部または殆んどの部分を設置しておき、短時間の作業で終了するようにすることが望ましい。
【０００８】
利用客に環境設置し得る条件を提示する際に、提示内容の管理を行い必ず提供できる内装機材を提示しないと、利用客の選択組合せが変化してしまい、利用客が思っている個室環境の提供ができないばかりでなく、店舗に対する印象が悪いものになるため、内装機材の運用の仕方をコンピュータの画面上で、見本として動画の形で見せることは、好評であった。
このような形で、利用客に提供可能な内装機材の提示を行うことができ、その中から環境設置の選択を行わせ、必要とする内装機材を提供できる様になった。
更に、そのコンピュータを用いて、内装機材の運用管理および在庫管理を行うことで、効率よく内装機材の管理を行うことができる様になった。
【０００９】
本発明の一例を示せば、図１に示すように、個室と個室の間の壁をはずし、四角い部屋を２つ連結して、各部屋の壁の一部ないし全部を格子状の壁材とすることで、開放的な空間に変化させるとともに、室内から室外、又は室外から室内を見易くすることができる。
本発明のサービスは、壁・扉・障子・襖・窓・格子・カーテン・ブラインド・衝立・蚊帳・簾・暖簾等の内装機材の組合せにより、利用客の注文に応じて、短時間で、個室環境をプライベートな空間にしたり、開放的な空間にしたりできるサービスを提供できた。
【００１０】
【本発明の効果】
本発明は、壁・扉・障子・襖・窓・格子・カーテン・ブラインド・衝立・蚊帳・簾・暖簾等の内装機材の一部又は全ての取付け・取外し・変更および据付を、予め規格どおりに設定しておき、利用客の注文に応じて、短時間で変更することを特徴とする店舗における個室環境提供方法。一般店舗において店舗固有の個性を出す新たな店舗サービスの提供方式を提供し、同じ利用客でも、その日の感情の違い、構成人員の違い等の変化により求める環境がことなることに対応し、利用客の要求に応える個室環境を店舗サービスとして作り出し提供し、新たな付加価値および産業効果を得たものである。
【図面の簡単な説明】
【図１】店舗内環境の開放感を出すための個室配置例を示す図である。
【図１】
2004092084.tif 000003